(57)【特許請求の範囲】
【請求項１】
制御基板を収容可能であるとともに接続ケーブルを引き出す引き出し口を備え、かつ、内部を透視するための窓を有する金属ケースと、
この金属ケースの内側で上記窓を閉口するように装着されるとともに上記引き出し口の縁部を被うようにケーブル保護部を延設された透明板とを具備することを特徴とする制御基板ボックス。
【発明の詳細な説明】
【０００１】
【発明の属する技術分野】
本発明は、制御基板ボックスに関し、特に、パチンコ機などの遊技機における遊技制御基板を収容するのに使用して好適な制御基板ボックスに関する。
【０００２】
【従来の技術】
従来、この種の制御基板ボックスとして、図８及び図９に示すものが知られている。
図において、制御基板ボックス１は、それぞれ一面を開口した金属製薄箱形の下ケース２と上ケース３とから構成されている。すなわち、両ケース２，３の開口面を対面させつつ側壁の端部を突き合わせるように合体させて構成されており、内部に制御基板４を収容可能となっている。また、上ケース３の側の側壁３ａにおける上記下ケース２との突き合わせ部分には長さ方向にわたって凹部を形成してあり、合体せしめたときには内外に連通する引き出し口３ａ１を形成している。ここにおいて、上記制御基板４には外部機器と接続させるためのフラットケーブル５が接続されており、同フラットケーブル５はこの引き出し口３ａ１を介して外部に導出されるようになっている。また、この引き出し口３ａ１の縁部には断面Ｕ字形で紐状の弾性部材からなるブッシング６をくわえ込ませるようにして装着してある。このブッシング６には開口側端部から複数の切り込み６ａを形成してあるため、引き出し口３ａ１の形状に沿って屈曲部分にも装着できるようになっている。
【０００３】
このようにして引き出し口３ａ１縁部にブッシングを装着することにより、フラットケーブル５が金属製の引き出し口３ａ１の縁部で切れたりしないようにすることができる。
なお、制御基板４上には遊技プログラムを記録されたＲＯＭ７がソケット８を介して装着されている。
【０００４】
【発明が解決しようとする課題】
上述した従来の制御基板ボックスにおいては、フラットケーブル５を導出するための引き出し口３ａ１にブッシングを装着しなければならず、手間が増えてしまうという課題があった。特に、図１０に示すように、ＲＯＭ７を引き出し口３ａ１から交換できないようにするために、引き出し口３ａ１を狭くすればよりブッシングを装着しにくくなる。
【０００５】
本発明は、上記課題にかんがみてなされたもので、組付作用を増やすことなく、ブッシングを装着することが可能な制御基板ボックスの提供を目的とする。
【０００６】
【課題を解決するための手段】
上記目的を達成するため、請求項１にかかる発明は、制御基板を収容可能であるとともに接続ケーブルを引き出す引き出し口を備え、かつ、内部を透視するための窓を有する金属ケースと、この金属ケースの内側で上記窓を閉口するように装着されるとともに上記引き出し口の縁部を被うようにケーブル保護部を延設された透明板とを具備する構成としてある。
【０００７】
かかる制御基板ボックスにおいては、内部を透視できるようにするために金属ケースに窓を形成しておくとともに、内側から透明板を装着して同窓を閉口させなければならない。このときに同透明板に形成されているケーブル保護部は上記引き出し口の縁部を被うことになるため、あえて別部品のブッシングを組み付ける作業を要することなく引き出し口の縁部のカバーが行われる。
ここにおいて、制御基板ボックス自体の形状は少なくとも制御基板を収容可能であって引き出し口を有するものであれば、薄箱形であったり、方形の箱形であったり、三角形であるなど適宜変形可能である。また、引き出し口の形状については引き出されるケーブルに応じて適宜変更可能である。
【０００８】
透明板は金属ケースへの装着時にケーブル保護部が引き出し口の縁部被うようになっていればよく、ここにおいて縁部を被うとはケーブルが直に縁部に当接しないようにするという意味である。従って、縁部を完全に被う場合だけに限らず、縁部よりも一回りだけ内側に突き出ているだけでも十分に縁部を被うことになっているといえる。
ケーブル保護部は引き出し口の縁部に沿って平坦であっても良いし、凹凸形状となっていても良い。例えば、複数のケーブルが引き出される場合に、ケーブルを仕分けすることが可能なように凸部で区画してもよい。また、ＲＯＭなどを取り出せないような間隔とするように凹凸を形成しても良い。
【０００９】
【発明の効果】
以上説明したように本発明は、ケーブルを引き出すための空間は確保しつつＲＯＭなどの制御素子を交換できないようにすることが可能な制御基板ボックスを提供することができる。
【００１０】
【発明の実施の形態】
以下、図面にもとづいて本発明の実施形態を説明する。
図１は、本発明の一実施形態にかかる制御基板ボックスを分解斜視図により示している。
同図において、この制御基板ボックス１０は、下ケース部材２０と、上ケース部材３０とから構成されており、パチンコ機の遊技制御基板４０を収容しつつ、同遊技制御基板４０に接続された二本のフラットケーブル５０を外部に導出している。
【００１１】
金属製の下ケース部材２０と上ケース部材３０は、外形が概ね一致するとともに上面を開口した薄箱形に形成されており、両者は互いに開口面を対面させた状態で側壁２１，３１部分を突き合わせて合体可能となっている。下ケース部材２０と上ケース部材３０には放熱用のたくさんのスリットを形成してあり、また、上ケース部材３０には内部を視認するための大きな窓３０ａを打ち抜いて形成してある。ただし、上ケース部材３０については内側から合成樹脂製の透明板６０を装着してあり、内部を容易に確認できるようにしつつ、異物の進入などを防止している。さらに、下ケース部材２０については、側壁２１における両短手方向の側壁２１ａ，２１ｂと一方の長手方向の側壁２１ｃの端部に上ケース部材３０における側壁３１の内側に回り込むようにガイド壁２１ａ１〜２１ｃ１を形成してある。従って、突き当て部分では二重に重なり、隙間から異物を進入させてこじ開けるといったことができにくくなっている。
【００１２】
本実施形態においては、下ケース部材２０と上ケース部材３０とが共に一面を開口した矩形薄箱形に形成されているが、少なくとも、遊技制御基板４０を収容できるような形状であればよい。従って、厚めの箱形であったり、角部をとるなど、適宜変形可能である。また、それぞれ下ケース部材２０と上ケース部材３０は矩形の底壁２２あるいは天井壁３２と、その周縁から直角に延設された側壁２１，３１とから形成されているが、側壁部分については最終的に箱形となるようになっていればよい。従って、必ずしも両方のケースから延設されている必要はなく、一方のケースの側からのみ延設され、相手側の底壁２２あるいは天井壁３２の周縁に突き当てられるようになっていても構わない。むろん、突き合わせ部分において必ずしも二重になっている必要はない。また、放熱用のスリットや内部視認用の窓についても適宜変形可能である。
【００１３】
上ケース部材３０における上記ガイド壁２１ａ１〜２１ｃ１と重なり合わない長手方向の側壁３１ｄについては他の側壁３１ａ〜３１ｃと比べて天井壁３２の側に向かって二つの凹部３１ｄ１，３１ｄ１を形成してある。この凹部３１ｄ１，３１ｄ１は他の側壁３１ａ〜３１ｃと比べて凹んでいるため、上ケース部材３０と下ケース部材２０とを合体したときには内外を貫通せしめる引き出し口３３，３３を形成し、当該引き出し口３３，３３を介して上記フラットケーブル５０を内部から外部に向けて導出させることが可能となる。
【００１４】
本実施形態においては、引き出し口３３が二ヶ所に形成されているが、フラットケーブル５０を導出させることができれば良く、その数、形状、場所については適宜変更可能である。すなわち、フラットケーブル５０を導出させる上で必須となる連通口であればよい。むろん、フラットケーブル５０に限らず、通常の紐状のケーブルでも構わないし、さらには、上記引き出し口３３の位置はどの側壁３１ａ〜３１であっても構わない。一方、引き出し口３３自体は上ケース部材３０の側に作る必要はなく、下ケース部材２０の側でも良いし、両方に跨るようにして形成しておいても良い。
【００１５】
上ケース部材３０の内側に装着される透明板６０の一部はこの引き出し口３３の側に延設されたケーブル保護部６１を備えており、図２及び図３に示すように、同ケーブル保護部６１は上ケース部材３０の内側から引き出し口３３の縁部部分を被うようにから外側に向かって断面Ｌ字形に形成されている。従って、フラットケーブル５０を引き出しても金属板の切り口にあたる引き出し口３３の縁部に当接することはない。
【００１６】
本実施形態においては、ケーブル保護部６１がＬ字形となって引き出し口３３の縁部を完全に被っているものの、例えば、図４に示すように、ケーブル保護部６１の端部が引き出し口３３の縁部よりも内側に突き出ているようにしているだけでもフラットケーブル５０が引き出し口３３の縁部に当接することを防止でき、この意味で十分に同縁部を被っているといえる。
また、ケーブル保護部６１には、図５に示すように、引き出し口３３を小口に区分けするための仕分け突起６３を形成することもできる。このようにすれば、信号用の電線とか電源用の電線とかを仕分けて引き出すことができる。
【００１７】
図２に戻ると、ケーブル保護部６１の端部には内側に向かって突出する複数の小突起６２を形成してある。
図６に拡大して示すように、この小突起６２はＲＯＭ８０のパッケージが引き出し口３３を通過できないような寸法設定としてある。すなわち、小突起６２の先端から対面の縁部までの寸法Ｌ１はＲＯＭ８０のパッケージの高さ寸法Ｈ１よりも短いし、小突起６２と小突起６２との間の凹部から対面の縁部までの寸法Ｌ３もＲＯＭ８０の高さ寸法Ｈ０よりも短い。さらに、小突起６２同士の間隔Ｌ２もＲＯＭ８０のパッケージの幅寸法Ｗよりも小さい。
【００１８】
一方、二つ並んだ凹部３１ｄ１，３１ｄ１の間と両側において下ケース部材２０と上ケース部材３０の側壁には係止構造７０を形成してある。この係止構造７０は、図７にも示すように、上ケース部材３０の側壁３１から帯板片を延設した係止片７２，７２，７２と、下ケース部材２０の側壁２１に形成されて上記係止片７２，７２，７２の先端が挿入されて係止するスリット７１，７１，７１とから構成され、断面クランク形に形成された係止片７２の先端７２ａがスリット内に入り込み、屈曲部分で係止する。なお、側壁３１からの連続部分には補強のための外形長円形のしぼり７２ｂを形成してある。
【００１９】
本実施形態においては、係止片７２とスリット７１とで係止構造７０を形成しているが、開閉可能な蝶番構造で形成するなど、適宜変形可能である。
なお、遊技制御基板４０の固定のため、下ケース部材２０の底壁２２の四隅には雌ネジ２４を四隅に取り付けてある。また、当該雌ネジ２４に対して遊技制御基板４０をネジ止めしつつさらに上ケース部材３０をネジ止めするため、下端を雄ネジに形成するとともに上端には雌ネジを形成した取り付けステー２５を備えている。
【００２０】
次に、上記構成からなる本実施形態の動作を説明する。
まず、上ケース部材３０の裏面に透明板６０を装着する。すると、引き出し口３３部分に透明板６０の縁部が重なり、引き出し口３３の縁部となるとともに当該縁部からは所定の間隔で小突起６２が突出した状態となる。
一方、下ケース部材２０の内部に遊技制御基板４０を収容し、これを貫通させながら四隅の雌ネジ２４に対して取り付けステー２５の雄ネジを螺合させる。すると、取り付けステー２５の胴部部分で遊技制御基板４０を雌ネジ２４に対して締め付けて固定することになる。この後、フラットケーブル５０を下ケース部材２０における側壁２１ｄ上を通って外側に導出させ、さらに上ケース部材３０を上方から被覆する。
【００２１】
このとき、二本のフラットケーブル５０，５０を三つの係止片７２，７２，７２の間に通し、各係止片７２，７２，７２の先端７２ａを下ケース部材２０の側壁２１ｄに形成したスリット７１，７１，７１に対して外側から挿入する。クランク状とした屈曲部分がスリット７１，７１，７１を貫通するようにして上ケース部材３０を下ケース部材２０の側に被せていくと、同下ケース部材２０の側壁２１ａ〜２１ｃ端部から延設されているガイド壁２１ａ１〜２１ｃ１が上ケース部材３０の側壁３１ａ〜３１ｃの内側に入り込み、突き合わせ部分に隙間を生じることなく上ケース部材３０と下ケース部材２０とが合体する。この状態で上ケース部材３０を貫通させて上記取り付けステー２５にネジ止め固定する。
【００２２】
上ケース部材３０を下ケース部材２０上に重ねていくとき、引き出し口３３を通過しなければならないが、このときフラットケーブル５０は引き出し口３３の内側に突き出ている透明板６０のケーブル保護部６１に当接することはあっても、引き出し口３３自体には直に当接しない。従って、同ケーブル保護部６１は十分にブッシングとしての役目を果たす。
一方、上ケース部材３０を下ケース部材２０上に完全に装着したときには、適当な治具を引き出し口３３の隙間から挿入し、遊技制御基板４０上に装着されているＲＯＭ８０を取り外したとしても、上述したようにＲＯＭ８０は小突起６２によってつかえてしまい、外に取り出すことはできない。なお、引き出し口３３の縁部が金属だけである場合は、ドライバなどで壁面を撓めてしまい、こじ開けてしまうこともあるが、透明板６０を使用している場合には割れてしまうので痕跡を残すこともできる。
【００２３】
このように、下ケース部材２０と上ケース部材３０とで箱形のケースを形成して遊技制御基板４０を収容しつつ、側壁３１ｄの端部にはフラットケーブル５０を導出するためにの凹部３１ｄ１を形成して引き出し口３３とする場合に、透明板６０のケーブル保護部６１を引き出し口３３の側に延設させて縁部を被うようにしたため、別体のブッシングを装着する手間をかけることなく、ケーブルを傷つけないようにすることができる。
【００２４】
なお、別の態様として、制御基板ボックス１０を構成する下ケース部材２０と上ケース部材３０との一方が樹脂製の場合もある。このような場合には、樹脂製の側のケース部材に金属製の側のケース部材における引き出し口の縁部を被うようにケーブル保護部を形成するようにしても良い。
【図面の簡単な説明】
【図１】本発明の一実施形態にかかる制御基板ボックスの分解斜視図である。
【図２】制御基板ボックスの側面図である。
【図３】引き出し口部分の断面図である。
【図４】ケーブル保護部の変形例を示す制御基板ボックスの部分断面図である。
【図５】引き出し口の変形例を示す制御基板ボックスの側面図である。
【図６】引き出し口と制御素子のＲＯＭの寸法の説明図である。
【図７】制御基板ボックスの断面図である。
【図８】従来の制御基板ボックスの分解斜視図である。
【図９】従来のブッシングを示す制御基板ボックスの一部破断斜視図である。
【図１０】同制御基板ボックスの斜視図である。
【符号の説明】
１０…制御基板ボックス
２０…下ケース部材
３０…上ケース部材
３３…引き出し口
３４…アダプタ
３４ａ…溝
３４ｂ…突起
４０…遊技制御基板
５０…フラットケーブル
６０…透明板
６１…ケーブル保護部
７０…係止構造
８０…ＲＯＭ
【図１】
0003716884.tif 000002
【図２】
0003716884.tif 000003
【図３】
0003716884.tif 000004
【図４】
0003716884.tif 000005
【図５】
0003716884.tif 000006
【図６】
0003716884.tif 000007
【図７】
0003716884.tif 000008
【図８】
0003716884.tif 000009
【図９】
0003716884.tif 000010
【図１０】
0003716884.tif 000011